(57)【要約】無線アクセスネットワークは、集中ユニットCU (220）と、分散ユニットDU (210）とを備え、無線アクセスネットワークノードにおけるUEコンテキストコントローラの好ましい位置を決定するための1つまたは複数の基準を取得すること（502）と、UEコンテキストコントローラがUE (100）と無線アクセスネットワークノード（200）との間のコネクションを管理することと、1つまたは複数の基準に基づいて、UEコンテキストコントローラがCU (220）および／またはDU (210）内のどれに位置すべきかを決定すること（504）と、を有する、無線ネットワークノード（200）によって実行される方法に関する。本発明は、さらに、対応する無線ネットワークノード（200）に関する。
2020523882.tif 000002
【特許請求の範囲】
【請求項１】
無線ネットワークノード（200）によって実行される方法であって、前記無線アクセスネットワークは、集中ユニットCU (220）と、分散ユニットDU (210）とを有しており、
・  前記無線アクセスネットワークノードにおけるUEコンテキストコントローラのための好ましい位置を決定するための1つまたは複数の基準を取得すること（502）ことであって、前記UEコンテキストコントローラはUE (100）と前記無線アクセスネットワークノード（200）との間のコネクションを管理するものである、ことと、
・  前記1つまたは複数の基準に基づいて、前記UEコンテキストコントローラが前記CU (220）内および／または前記DU (210）内のどれに位置すべきかを決定すること（504）と、
を有する方法。
【請求項２】
請求項1に記載の方法であって、前記1つまたは複数の基準は、前記UEの通信の遅延、ユーザシグナリングに関連したシグナリングオーバーヘッド、および／または前記CU (220）および前記DU (210）のうちの1つにおける信号負荷に関係している、方法。
【請求項３】
請求項1または2のいずれかに記載の方法であって、前記UEコンテキストコントローラの好ましい位置を決定することは、最小遅延時間、最小シグナリング、最小ノード間シグナリング、および／またはDUまたはCU負荷の最適化のうちの1つまたは複数の基準に基づいて、実行される、方法。
【請求項４】
請求項1ないし3のいずれか一項に記載の方法であって、前記1つまたは複数の基準は、前記UE (100）が前記DU (210）のカバレッジエリア外に移動していないことを含み、当該基準が満たされる場合、前記UEコンテキストコントローラは、前記DU (210）内に存在することを選択される、方法。
【請求項５】
請求項1ないし4のいずれか一項に記載の方法であって、前記1つまたは複数の基準は、前記UEがDU間モビリティを実行すること、および／または、DU間モビリティが起こりそうになるか、または必要になることを含み、当該基準が満たされる場合、前記UEコンテキストコントローラは、前記CU (220）内に存在することを選択される、方法。
【請求項６】
請求項1ないし5のいずれか一項に記載の方法であって、前記1つまたは複数の基準は、UE通信に関する最大許容遅延を含み、前記最大許容遅延が、UEコンテキスト責任を負う前記CU (220）によって満たされ得ない場合、前記UEコンテキストコントローラは、前記DU (210）内に存在することを選択される、方法。
【請求項７】
請求項1ないし6のいずれか一項に記載の方法であって、前記CU (210）及び前記DU (210）の一方が、
・  1つまたは複数の条件が満たされているかどうかを監視することと、
・  前記1つまたは複数の条件が満たされると、前記CU (220）から前記DU (210）への、またはその逆への、前記UEコンテキストの転送を開始することと、を実行する、方法。
【請求項８】
請求項1ないし7のいずれか一項に記載の方法であって、さらに、
・  前記CU (220、221）が、UEコンテキスト再配置要求を前記DU (210）に送信することと、
・  前記DU (210）が、UEコンテキスト再配置応答を前記CU (220、221）に送信することと、
・  前記DUが前記コンテキスト責任を負うとともに、前記CUおよび前記DUの両方においてUEコンテキストを確立することと、
・  条件監視を確立することと、
・  条件監視に基づいて、前記コンテキストコントローラを前記CU (220、221）に移動することを決定することと、
・  前記CU (220、221）が、前記CUに前記責任を移動するためにUEコンテキスト再配置要求を前記DU (210）に送信することと、
・  前記DU（210）が、UEコンテキスト再配置応答を前記CU (220、221）に送信することと、
・  前記CUが、UEコンテキスト制御責任を負うことと、を有する、方法。
【請求項９】
請求項1ないし8のいずれか一項に記載の方法のステップを実行するように構成された無線ネットワークノード（200、600）。
【請求項１０】
無線ネットワークノード（200、600）であって、
・無線アクセスネットワークノードにおけるUEコンテキストコントローラの好ましい位置を決定するための1つまたは複数の基準を取得すること（502）であって、前記UEコンテキストコントローラが、UE (100）と前記無線アクセスネットワークノード（200）との間のコネクションを管理するものである、ことと、
・  前記1つまたは複数の基準に基づいて、前記UEコンテキストコントローラが前記CU (220）内および／または前記DU (210）内のどれに位置すべきかを決定すること（504）と、
を前記無線アクセスノードに実行させるプロセッサ（620）を有する、無線ネットワークノード（200、600）。
【請求項１１】
請求項10に記載の無線ネットワークノード（200、600）であって、前記1つまたは複数の基準は、前記UEの通信の遅延時間、ユーザシグナリングに関するシグナリングオーバーヘッド、および／または前記CU (220）および前記DU (210）のうちの1つにおける信号負荷に関係している、無線ネットワークノード（200、600）。
【請求項１２】
請求項10または11に記載の無線ネットワークノード（200、600）であって、前記UEコンテキストコントローラの好ましい位置を、最小遅延時間、最小シグナリング、最小ノード間シグナリング、および／またはDUまたはCU負荷最適化、のうちの1つまたは複数の基準に基づいて決定するように構成されている、無線ネットワークノード（200、600）。
【請求項１３】
請求項10または12に記載の無線ネットワークノード（200、600）であって、前記1つまたは複数の基準は、前記UE (100）が前記DU (210）のカバレッジエリア外に移動していないことを含み、当該基準が満たされる場合、前記DU (210）に存在するように前記UEコンテキストコントローラを転送する、無線ネットワークノード（200、600）。
【請求項１４】
請求項10または13に記載の無線ネットワークノード（200、600）であって、前記1つまたは複数の基準は、前記UEがDU間モビリティを実行すること、および／または、DU間モビリティが起こりそうになるかまたは必要になることを含み、当該基準が満たされる場合、前記CU (220）に存在するように前記UEコンテキストコントローラを転送する、無線ネットワークノード（200、600）。
【請求項１５】
請求項10または14に記載の無線ネットワークノード（200、600）であって、前記1つまたは複数の基準は、UE通信に関する最大許容遅延を含み、前記UEコンテキストコントローラは、前記最大許容遅延が、UEコンテキスト制御責任を負う前記CU (220）によって満たされ得ない場合、前記DU (210）内に存在するように転送される、無線ネットワークノード（200、600）。
【請求項１６】
請求項10または15に記載の無線ネットワークノード（200、600）であって、前記無線ネットワークノード（200、600）は、CU (210）およびDU (210）を有し、前記CU (210）および前記DU (210）のうちの1つは、
・  1つまたは複数の条件が満たされているかどうかを監視することと、
・  前記1つまたは複数の条件が満たされると、前記CU (220）から前記DU (210）への、またはその逆への、前記UEコンテキストコントローラの前記転送を開始することと、
を実行する、無線ネットワークノード（200、600）。
【請求項１７】
請求項16に記載の無線ネットワークノード（200、600）であって、
前記CU (220）は、
・  UEコンテキスト再配置要求を前記DU（210）に送信することと、
・  前記DU（210）からUEコンテキスト再配置応答を受信することと、
・  前記DUがコンテキスト責任を負うとともに、前記CUおよび前記DUの両方においてUEコンテキストを確立することを開始することと、
・  条件監視を確立することと、
・  条件監視に基づいて、前記コンテキスト制御責任を前記CU (220、221）に移動することを決定することと、
・  前記CUに前記責任を移動するためにUEコンテキスト再配置要求を前記DU (210）に送信することと、
・  UEコンテキスト再配置応答を前記DU (210）から受信することと、
・  UEコンテキスト制御責任を負うことと、
を実行するように構成されている、無線ネットワークノード（200、600）。
【発明の詳細な説明】
【技術分野】
【０００１】
本発明は、一般に、ワイヤレス通信システムに関し、特に、ワイヤレス通信システムにおける分離された無線アクセスノードにおけるユーザ装置（UE）コンテキストの処理に関する。
【背景技術】
【０００２】
3GPPは、LTE／EUTRAN規格の上に構築する、5Gのための新無線（NR）規格に取り組んでいる。
【０００３】
例えば、3GPP TS 36．401（現行バージョン15．1．0）に記載されているように、アクセスノード（例えば、eNBまたはgNB）において必要とされるUEアソシエーションにはいくつかのタイプがあり、いわゆる(eNB) UEコンテキストは、ユーザ装置UEの処理に必要とされるすべての情報を記憶する。
【０００４】
UEコンテキストは、1つのUEに関連付けられた情報のブロックとみなされてもよい。情報のブロックは、アクティブUEに対する無線アクセスネットワークであるRANのサービスを維持するために必要な情報を含む。UEコンテキストは、UEステート情報、セキュリティー情報、UE能力情報、及びUE関連論理S1コネクションの識別情報を含むことができる。UEコンテキストは、例えば、UEのためのアクティブステートへの移行が完了したときに、またはハンドオーバ準備中にハンドオーバリソース割当てが完了した後のターゲットアクセスノードにおいて確立される。
【０００５】
分離された無線アクセスネットワークノード、例えば、gNBと呼ばれる無線アクセスノードを含むNR無線アクセスネットワークを採用する無線アクセスネットワークシステムのために、F1と呼ばれる新しいインターフェースが、分離されたgNBの展開を可能にするように指定されることが合意されており、gNBは、セントラル（集中）ユニット、gNB-CU、またはCUと呼ばれるノードと、論理（または機能）レベル上の分散ユニット、gNB-DU、またはDUと呼ばれる別のノードとに分割される。
【０００６】
CUは、ユーザデータの転送、モビリティ制御、およびセッション管理のようなgNB機能のサブセットを含むことができ、一方、DUは、CUに含まれないgNB機能の別のサブセットを含むことができる。
【０００７】
分割の結果、UEとgNBとの間の無線インタフェース（Uuインタフェース）は2つのレッグに分割され、プロトコル層機能はgNBの異なるコンポーネントに分割される。
【０００８】
図1は、分離されたgNB(無線アクセスネットワークノード）デプロイメントを採用するそのようなシステムを示し、ここで、gNB機能は、CUおよびDUに分散される。CUは、さらに、制御プレーンユニットCU-CPとユーザプレーンユニットCU-UPとに分割されてもよい。1つまたは複数のDUが存在してもよく、DUのそれぞれは、1つまたは複数のセルに関連付けられてもよい。
【０００９】
一例として、Uu機能（Uuインターフェースに関連する）がCUおよびDUに分散され、無線リソース制御、RRC、層およびパケットデータコンバージェンスプロトコル、PDCP層がCU内に存在し、一方、無線インターフェースの無線リンク制御、RLC層、メディアアクセス制御、MAC層、および物理、PHY層がDoneまたは複数のDU内に存在するように、機能分散を選択することができる。
【００１０】
CUとDUの各々とを接続するF1インターフェースは、別個の制御プレーンコンポーネント（F1-C）およびユーザプレーンコンポーネント（F1-U）でさらに指定されてもよい。その結果、CUは、制御プレーンユニットCU-CPと、ユーザプレーンユニットCU-UPとにさらに分割され得る。その結果、PDCP機能は、制御パート、すなわち、CU−CPに所在するPDCP−Cと、CU−UPに所在するユーザプレーンパートであるPDCP−Uに分割される。
【００１１】
CU−CPおよびCU−UPは、E1インターフェースと呼ばれるインターフェースを介して相互に通信することができる。gNBは、さらに、制御プレーンプロトコルインターフェースNG-APと、5GコアネットワークへのユーザプレーンプロトコルインターフェースNG-UPとを有する。
【発明の概要】
【００１２】
本発明の実施形態の目的は、分離された無線アクセスノード内のＵＥコンテキストの処理（または管理）を提供することである。
【００１３】
この目的は、独立請求項によって達成される。有利な実施形態は、従属請求項および以下の説明に記載されている。
【００１４】
本発明の実施形態は、gNB-CUおよびgNB-DUとして分離された態様で設置されたgNB内のUEコンテキストをハンドリング（処理）するための方法を提案する。
【００１５】
一実施形態は、無線ネットワークノードまたはgNBによって実行される方法に関し、ここで、gNBは、集中ユニットCUと、分散ユニットDUとを備え、
【００１６】
・  -gNB内のUEコンテキストコントローラの好ましい位置を決定するための1つまたは複数の基準を取得することであって、UEコンテキストコントローラは、UEとgNBとの間のコネクションを管理するものである、ことと、
【００１７】
・  1つまたは複数の基準に基づいて、UEコンテキストコントローラがCU内および／またはDU内のどちらに位置すべきかを判定することと、を有する。
【００１８】
一実施形態は、無線アクセスノードに以下のステップを実行させるプロセッサを備える無線ネットワークノード、gNB、に関するものであり、
【００１９】
・  無線アクセスネットワークノードにおけるUEコンテキストコントローラの好ましい位置を決定するための1つまたは複数の基準を取得するステップであって、UEコンテキストコントローラは、UEと無線アクセスネットワークノードとの間のコネクションを管理している、ステップと、
【００２０】
・  1つまたは複数の基準に基づいて、UEコンテキストコントローラがCU内および／またはDU内のどちらに位置すべきかを決定するステップと、を実行させる。
【００２１】
一実施形態では、(gNB)UEコンテキストコントローラは、UEコンテキストによってgNBへのUEのコネクションを制御する一組の機能とみなすことができる。言い換えれば、UEコンテキストの管理（例えば、確立、解放、維持）は、UEコンテキストコントローラによって実行されているとみなされてもよい。UEコンテキストは、アクティブな（または接続された)UEに関連する（制御）情報のブロックとみなされてもよい。情報のブロックは、UEに対する無線アクセスネットワーク、RAN、サービスを維持するために必要とされる必要な情報を含む。
【００２２】
CUとDUとの間の通信は、F1インターフェースと呼ばれるインターフェースによって実行されてもよい。
【００２３】
スプリット・デプロイメント（分割設置）の性質上、UEとgNBとの通信に遅延が挿入されるかもしれない。一方、分割は、UEに関するアクセス機能の柔軟な管理を可能にする。さらに、UEにできるだけ近い複数のDUを提供することを可能にする。実施形態は、gNBが、複数のDUにわたるUEモビリティの全体的な制御を有する可能性を実現し、そのような制御は、CUによって実行されてもよい。CUは、例えば、最大遅延を保証するために、または最小のシグナリングを保証するために、1つまたは複数の基準に基づいて制御を実行することができる。これは、シグナリングを最小限に抑えるために、（例えば、屋内設置における）小さなDUを有する高密度設置の場合に特に重要となるかもしれない。
【００２４】
UEコンテキスト（コントローラ）の好ましい位置の決定は、適応的な方法で実行されてもよく、その結果、CUからDUへのUEコンテキスト（コントローラ）の転送は、1つまたは複数の基準（例えば、最大遅延および最小シグナリングオーバーヘッド）がいつでも満たされるように実行される。
【００２５】
言い換えれば、本明細書で説明される実施形態は、サポート監視アルゴリズムから導出され得る選択された基準に従って、DUにおいて、またはCUサイトにおいて、柔軟かつ最適な方法で、UEコンテキストの位置を決定することを可能にする。
【００２６】
ここで議論される実施形態の利点として、種々のUuプロトコル層の既存の機能は、非分割gNBに比べて変わらないまま維持される。
【００２７】
実施形態は、同様の分割がLTE (ロングタームエボリューション）システムのために採用されるケースにおいて、LTEのための同様のソリューションをもたらす。
【図面の簡単な説明】
【００２８】
【図１】3GPPによる、分離された無線アクセスノード（gNB）を示す。
【図２】gNBが集中ユニット、CU、および分散ユニット、DU、に分割される実施形態を示し、UEコンテキスト情報のロケーション（位置）は、ある基準に依存する。
【図３】図2のCUが、埋め込み型CUとクラウド型CUとにさらに分割される別の実施形態を示す。
【図４】ある実施形態による、gNBにおいて実行される例示的な方法のフローチャートである。
【図５】ある基準に応じてUEコンテキスト情報の位置を決定する方法のフローチャートである。
【図６】gNBの例示的な物理ブロックを示すブロック図である。
【図７】gNBの例示的な機能ブロックを示すブロック図である。
【図８】中間ネットワークを介してホストコンピュータに接続された通信ネットワークを概略的に示す。
【図９】基地局を経由し、部分的なワイヤレスコネクションを介してユーザ装置と通信するホストコンピュータの一般化されたブロック図である。
【図１０】ホストコンピュータ、基地局、およびユーザ装置を含む通信システムにおいて実施される方法を示すフローチャートである。
【図１１】ホストコンピュータ、基地局、およびユーザ装置を含む通信システムにおいて実施される方法を示すフローチャートである。
【図１２】ホストコンピュータ、基地局、およびユーザ装置を含む通信システムにおいて実施される方法を示すフローチャートである。
【図１３】ホストコンピュータ、基地局、およびユーザ装置を含む通信システムにおいて実施される方法を示すフローチャートである。
【発明を実施するための形態】
【００２９】
以下、添付の図面を参照して、本明細書で企図される実施形態のいくつかをより完全に説明する。
【００３０】
上述のように、用語gNBは、5G標準化のフレーム内で使用されている。gNBは、集中ユニット（gNB-）CUおよび分散ユニット（gNB-）DUとして、分離分割された方法で設置された無線ネットワークノードのグループとして実現されうる。本発明は（5G)gNBに限定されず、LTEなどの他の任意の無線アクセス技術で実施されてもよいことに留意されたい。
【００３１】
図2は、gNB200が集中ユニットCU 220および分散ユニット210に分割される実施形態を示す。(gNB)UE-CUコンテキスト221は、CU 220に存在し（位置し）、(gNB UE-DUコンテキスト211（UE-CUクラウドコンテキスト221）は、DU 210に存在する（位置する）。F1-Cインターフェース250は、DU 210とCU 220とを接続する。
【００３２】
実施形態によれば、UEコンテキスト（コントローラ）は、CUおよびDUの両方に存在することができ、任意の所与の時刻におけるそのロケーションは、1つまたは複数の最適化基準、たとえば、遅延時間、シグナリングオーバーヘッド、および信号負荷に関連する基準の関数として、選択されてもよい。
【００３３】
以下では、ある無線アクセスノード（CU、DU等）においてUEコンテキストを転送／位置特定することは、UEコンテキストによってUEコネクションを制御する責任を転送／確立することとみなされてもよい。言い換えると、UEコンテキストを転送／位置決めすることは、そのようなノードに／において、UEコンテキストコントローラを転送／位置決めすることと見なすことができる。
【００３４】
例えば、UEコンテキスト（コントローラ）の実際のロケーションは、最短遅延、最小シグナリング、および／またはDUまたはCU負荷最適化を達成するように選択され得る。
【００３５】
これにより、UE コネクションの持続時間中における任意の所与の時点で、UEコンテキスト（コントローラ）は、性能が最適化され、かつ／またはノード間シグナリングが最小化されるように、CU、DU、またはCUおよびDUの両方に常駐するように選択されてもよい。例えば、所与のgNB-DUのカバレッジエリア外に移動していないUEの場合、UEコンテキスト（したがって、無線インターフェース通信のためのアンカーポイント）は、DU内にローカル的に存在し、アンテナの近くに存在するように選択されることができ、そうでない場合（UEがDU間モビリティを実行する場合、またはDU間モビリティが起こりそうになるかまたは必要になる場合）、UEハンドリング（UEコンテキストまたはUEコンテキストの一部）は、UEに関する必要なモビリティアクションがとられる（CUによって実行される）よう、時間的に間に合うように、CUに移動されてもよい。DU (マクロ的な設置）のためのかなり大きなカバレッジエリアおよび／または相対的に低いモビリティを有するUEを仮定すると、余分なF1レッグによって表される余分な遅延時間の負担を回避する（したがって、DUとのUEハンドリングを継続しようとする）という利点がある。これは、トランスポートネットワークがF1インターフェースを介して無視できない制御プレーン遅延を導入する場合に特に有益であろう。
【００３６】
以下に、さらなる実施形態を列挙する。
【００３７】
1.  UEコンテキスト、RRC終端、および関連するUEハンドリング機能は、gNB-DUおよびgNB-CUの両方に常駐することが許可され、任意の所与の時点で、CUまたはDUのいずれかがUEのコネクションを担当する。オプションとして、gNB−DUがRRCプロシージャのサブセットを（許可を求めずに）開始し、GNB−CUにRRCプロシージャの完了後に通知することができる（および、gNB−CU内のコンテキストを更新することができる）ように、担当責任が分割されてもよい。
【００３８】
2.  gNB-CUおよびgNB-DU内のアルゴリズムは、UEコンテキストのハンドリング（処理）の担当責任がCUからDUに、およびその逆にいつ移動されるべきかを監視することによって、アクティブUEコンテキストハンドラの最適位置を選択することを可能にする。また、担当責任は、DUおよびCUの両方に分割（分担）されてもよい。DUは、いくつかのRRCプロシージャをUEに向けてローカルに実行し、プロシージャの完了後にCUに通知することができる。
【００３９】
3.  F1-Cインターフェースは、CUとDUとの間のUEコンテキストの再配置をトリガ（開始）するために必要な信号をサポートする。
【００４０】
4.  CUが、分離されたCU-CPおよびCU-UPに設置される場合、CU-CPを変更することなくE1インターフェースのCU-UP終端を再配置するためのF1-Cを介したサポートが存在する。CU−UP からCU−CP およびDU に対して並行して2 つのE1 UE コネクションを確立することができる。その場合、CU−UP は、そのいずれかからの命令に反応することができる。
【００４１】
以下では、UE−CUを分割／複製するという概念について、より詳細に説明される。
【００４２】
図3は、図2のCU 220が、リモートまたはクラウドCU部分であるクラウドCU 230と、埋め込み型CU部分である埋め込み型CU 220に分割される実施形態を示す。UE-CUコンテキスト（CU内に位置するUEコンテキスト）は、CUサイトにおけるクラウドベースの代替物（UE-CUクラウドコンテキスト231）として、および埋め込み代替物（UE-CU埋め込みコンテキスト221）として存在することができる。埋め込み型CU 220は、例えば図2のDU 210などのgNB 200内のDU（1つまたは複数）と共に埋め込みノード 240内に配置されてもよく、UE-DUコンテキスト211およびUE-DUイニシャルコンテキスト212が配置されてもよい。UE-DU初期コンテキスト212は、ランダムアクセスRA通信と、UEに関する（RRCプロトコル処理の一部としての）確立であるシグナリング無線ベアラ(Signalling Radio Bearer、SRB）とに関連付けられ得る。
【００４３】
ローカルCUがDU 210に埋め込まれることを期待することは現実的であり得るが、より中央ベースのCUが仮想化されることになるが、図3の実施形態は、任意の仮想化サポートに関係なく実現され得ることに留意されたい。
【００４４】
UE-CU（埋め込み）コンテキスト221が埋め込み型CU 220内でアクティブである場合、UEとのRRC通信（例えば、測定値を含む）も処理するための完全な責任を有し得る。一方、クラウドCU 230と埋め込み型CU 220との間にコーディネーション（連携）が存在することがあり、その結果、ある条件が満たされると、UE-CU（クラウド）コンテキスト230は、例えば、現在のDU 210の責任の下にない無線リソースを含むモビリティをサポートするために、クラウドCU 230において（再び）アクティブになることができる。
【００４５】
UE−CU内蔵コンテキスト221及びUE−CUクラウドコンテキスト231のいずれかを（コンテキストを稼働させるときに）アクティブにするかの決定は、オペレータの選択及び／又は特定の展開のような条件に依存する。そのような条件は、以下を含むことができる。
【００４６】
・  UEのモビリティの程度（UEがどのように移動しているか）。
【００４７】
・  予想される無線条件。
【００４８】
・  遅延時間要件。
【００４９】
・  DUによって制御されるセルのサイズおよび／または数。
【００５０】
一例として、遅延に関しては、5G、URLLCで予測されたような非常に高い信頼性でかつ低遅延の通信は、おそらくUu下位レイヤとUE−CUコンテキストを併設する必要があるかもしれない。
【００５１】
別の例として、より大きなセル（大きなセルクラスタ）および／または同じDUによって制御されるより多数のセルは、頻繁なDU間モビリティを必要としないことがある。
【００５２】
以下では、そのようなコンテキスト再配置／複製がF1-CおよびE1を介してどのようにサポートされ得るかについて説明される。
【００５３】
F1-Cインターフェース250のための例示的な第1のシグナリングサポートは、現在のCU-CPとDUサイトとの間のCU-UEコンテキストの転送／複製に関する（その結果、埋め込み型CUを作成することができる）。
【００５４】
これは、全面的なUE−CUコンテキスト情報を含み、クラウドCU (Xn、NG−C）に位置する関連外部インターフェース終端とローカルコンテキストを関連付けることを含む、DUサイトでの（DUと組み込まれたCUでの）ローカル／組込UE CUコンテキストを確立することができる。
【００５５】
これには、さらに、複製されたE1インターフェースをDUサイトに向けて確立できるように、CU−UPに関する必要な情報が含まれる場合がある。
【００５６】
転送には、起動時間に関する情報、およびその後のCU−UE コンテキストのCloud−CUへの転送をサポートするために必要な測定および基準の設定も含まれる。
【００５７】
F1-Cインターフェースのための例示的な第2のシグナリングサポートは、（例えば、所与の条件に基づいてトリガされる）CU-UEコンテキストの担当責任をクラウドCUへ返送（返上）することに関する。
【００５８】
UE-CUコンテキストについての責任をクラウドCUに戻すための条件は、埋め込み型CUをサポートするクラウドCUによって監視されてもよく、またはDUサイトで直接監視されてもよく、その結果、クラウドCUからの「コンテキストのプル」または埋め込み型CU／DUからの「コンテキストのプッシュ」のいずれかになる。
【００５９】
F1-Cインターフェースのための例示的な第3のシグナリングサポートは、CU-UPとDUサイト／埋め込み型CUとの間に複製されたE1インスタンスを生成する能力に関する。
【００６０】
以下では、本開示の上記の原理および技法が、F1-CおよびE1インターフェースを介する例示的なシグナリング相互作用をどのようにしてもたらすことができるかを例示する。
【００６１】
図4は、CUサイトとDUサイトとの間のUEコンテキスト再配置をサポートする例示的なコールフローを示す。
【００６２】
例示として、図2のような無線アクセスネットワークノード gNB 200によってサービスされるUE 100を示し、gNB 200は、DU 210およびCU 220を含み、CU 220は、CU制御部CU-C（またはCU-CP）221およびCUユーザ部CU-U（またはCU-UP）222に分割される。
【００６３】
（サービング) DU 320と、（サービング）CU-CP 330および（サービング）CU-UP 340に分割された（サービング) CUとを備え、CU-UPは、F1制御プレーンコンポーネントF1 CによってDU 320と通信し、以下ではF1アプリケーションプロトコルF1-APとも呼ばれ、CU-CP 330およびCU-UP 340は、E1制御プレーンコンポーネントによって通信し、以下ではE1アプリケーションプロトコルE1-APとも呼ばれる。
【００６４】
第1のステップ1において、UE 100と無線アクセスネットワークとの間にUEのコネクションが確立される。
【００６５】
第2ステップ2では、CU−C 221は、（F1-AP) UEコンテキストの再配置要求をDU 210に送信する。
【００６６】
第3ステップ3では、DU 210はCU−C 221に（F1-AP) UEコンテキストの再配置応答を送信する。
【００６７】
第4のステップ4では、デュアル（CU-）UEコンテキストが確立される（DUがコンテキスト責任を有する）。
【００６８】
第5のステップ5では、測定値を含みうる条件監視が確立される。
【００６９】
オプションである第6のステップ6で、CU−C 221は、（E1−AP）セカンダリインスタンス要求をCU−U 222に送信する。
【００７０】
オプションの第7のステップでは、CU−UはCU−C 221に（E1−AP）セカンダリインスタンス応答を送信する。
【００７１】
オプションである第8のステップ8では、セカンダリE1インスタンスが確立される。
【００７２】
第9のステップ9では、条件監視に基づいて、コンテキスト責任をCU（CU-C 221）に移動することが決定される。
【００７３】
第10のステップ10において、CU-C 221は、（CUに責任を移動するための）（F1-AP）UEコンテキスト再配置要求をDU 210に送信する。
【００７４】
第11のステップ11で、DU 210はCU−C 221に（F1-AP) UEコンテキストの再配置応答を送信する。
【００７５】
第12のステップ12において、デュアル（CU-）UEコンテキストが解放され、CUがコンテキスト責任を負う。
【００７６】
ステップ12の代わりに、第13のステップ13において、デュアルCU-CEコンテキストが維持され、CUがコンテキスト責任を負う。
【００７７】
オプションであるステップ14では、セカンダリE1インスタンスが解放される。
【００７８】
図5は、本開示におけるUE-DUおよび／またはUE-CUコンテキストを実行する分散ユニットまたは集中ユニットとして機能する無線ネットワークノードによって実行される例示的な方法500のフローチャートを示す。例えば、方法500は、ブロック502において、無線アクセスネットワークにおけるUEコンテキストコントローラの好ましいロケーション（好ましくは、1つまたは複数のファクタに基づいて選択される単一または複数のインスタンスロケーションを意味する）を決定するための1つまたは複数のファクタ（上記に列挙されたものなど）を取得することを含み得る。UEコンテキストコントローラは、UEと無線アクセスネットワークとの間のコネクションを管理するように構成されてもよい。さらに、ブロック504において、方法500は、1つまたは複数の条件またはファクタに基づいて、集中ユニットCU、分散ユニットDU、または両方のユニットのうちのどれが好ましいロケーション（位置）を構成するかを決定することを含むことができる。この好ましい位置は、動的な方法で、経時的に1つまたは複数のファクタに基づいて変化してもよい。さらに、図5には明示的に示されていないが、方法500は、上述したような1つまたは複数の追加のまたは代替の実施形態を含むことができる。
【００７９】
図6は、1つまたは複数の実施形態による例示的な無線ネットワークノード600を示す。無線ネットワークノードは、上述した態様を実行するためのプロセスを実現するように構成される。
【００８０】
いくつかの実施形態では、無線ネットワークノードは、上述の1つまたは複数の態様を実行するための機能的手段または装置を実装することなどによって処理を実装するように構成された1つまたは複数の処理回路620を備える。一実施形態では、例えば、処理回路620は、それぞれの回路として機能的手段またはユニットを実装する。この点に関して、回路は、ある機能処理を実行するために専用の回路、および／またはメモリ630に関連する1つまたは複数のマイクロプロセッサを備えることができる。読み出し専用メモリ（ROM）、ランダムアクセスメモリ、キャッシュメモリ、フラッシュメモリデバイス、光記憶デバイスなどの1つまたは複数のタイプのメモリを備えることができるメモリ630を使用する実施形態では、メモリ630は、1つまたは複数のマイクロプロセッサにより実行されるためのものであって、1つまたは複数のこれらによって実行されると、本明細書で説明される技法を実行する、プログラムコードを記憶する。
【００８１】
実施形態では、無線ネットワークノードは、また、1つまたは複数の通信インターフェース610を備える。1つまたは複数の通信インターフェース610は、データ信号および制御信号を送受信するための様々な構成要素（たとえば、アンテナ640）を含む。より具体的には、（1つまたは複数の）インターフェース610は、典型的には1つまたは複数の規格にしたがって、既知の信号処理技法を使用するように構成され、（たとえば、1つまたは複数のアンテナ640を介して無線で）送信するために信号を調整するように構成された送信機を含む。同様に、インターフェースは、（例えば、アンテナ640を介して）受信された信号を、1つまたは複数の処理回路による処理のためにデジタルサンプルに変換するように構成された受信機を含む。送信機および／または受信機はまた、1つまたは複数のアンテナ640を含むことができる。通信インターフェース610および／またはアンテナ640を利用することによって、無線ネットワークノードは、QoSデータフローを送信するために、ならびにこれらのフローの無線ベアラへのマッピングを管理するために、フローを様々なベアラに再マッピングするために、および／またはフローを完全に除去するために、他のデバイスと通信することができる。
【００８２】
図7は、例示的なネットワークノード600の機能ブロック図を示す。機能ブロックは、UEコンテキストの好ましい位置を決定するための1つまたは複数の基準（またはファクタ）を取得するように適合された取得モジュール650を備えることができ、UEコンテキストコントローラは、UEと無線アクセスネットワークとの間のコネクションを管理する。機能ブロックは、1つまたは複数の基準に基づいて、集中ユニット（たとえば、CU 220）、分散ユニット（たとえば、DU 210）、またはCUおよびDUの両方のうちどれが好ましい位置となるかを判定するように適合された判定モジュール660をさらに備えることができる。
【００８３】
一実施形態では、無線アクセスネットワークは、集中ユニット、CU 220、および分散ユニット、DU 210を備え、CUまたはDUのうちの1つは、以下を実行する。
【００８４】
・  UEコンテキストは、UEと無線アクセスネットワークノード200との間のコネクションを制御するために使用される、無線アクセスネットワークノードにおけるUEコンテキストの好ましい位置を決定するための1つまたは複数の基準を取得する。
【００８５】
・  1つまたは複数の基準に基づいて、コネクションを制御するためのUEコンテキストがCUおよび／またはDUに位置するかどうかを決定する。
【００８６】
1つまたは複数の基準は、UE通信の遅延、ユーザシグナリングに関するシグナリングオーバーヘッド、および／またはCU 220およびDU 210のうちの1つにおける信号負荷のうちの少なくとも1つに関係し得る。
【００８７】
UEコンテキストの好ましい位置を決定することは、以下の基準、すなわち、最低遅延、最大許容／容認遅延、最小シグナリング、最小ノード間シグナリング、および／またはDUまたはCU負荷の最適化、のうちの1つまたは複数に基づいて実行され得る。
【００８８】
一実施形態では、基準は、UE 100がDU 210のカバレッジエリア外に移動していないことであってもよく、この基準が満たされる場合、UEコンテキストは、DU 210内に存在するように選択される。
【００８９】
一実施形態では、基準は、UEがDU間モビリティを実行すること、および／またはDU間モビリティが起こりそうになるかまたは必要になることであり、この基準が満たされる場合、UEコンテキストは、CU 220内に存在するように選択される。
【００９０】
一実施形態では、基準は、UE通信に関する最大許容遅延であり、最大許容遅延が、UEコンテキストの担当責任を有するCU 220によって満たされ得ない場合、UEコンテキストは、DU 210内に存在するように選択される。
【００９１】
一実施形態では、CU 210およびDU 210のうちの1つは、1つまたは複数の条件が満たされるかどうかを監視し、当該1つまたは複数の条件が満たされると、CU 220からDU 210への、またはその逆への、UEコンテキストの転送を開始する。
【００９２】
一実施形態では、CUは、以下のステップを実行する。
【００９３】
・  UEコンテキスト再配置要求をDU 210に送信する。
【００９４】
・  DU 210から、CU 221に対するUEコンテキストの再配置応答を受信する。
【００９５】
・  CUおよびDUの両方においてUEコンテキストを確立し、DUがコンテキストの担当責任を負う。
【００９６】
・  条件監視の確立。
【００９７】
・  条件監視に基づいて、コンテキストの担当責任をCU 221に移動することを決定する。
【００９８】
・  担当責任をCUに移動するためにUEコンテキスト再配置要求をDU 210に送信する。
【００９９】
・  DU 210から、CU 221に対するUEコンテキスト再配置応答を受信する。
【０１００】
・  CUは、UEコンテキストの担当責任を負う。
【０１０１】
一実施形態では、（DUに関する）デュアルUEコンテキストは、CUがUEコンテキストの担当責任を負った後に、解放される。あるいは、CUがUEコンテキストの担当責任を負った後も、デュアルCU-CEコンテキストが維持される。
【０１０２】
当業者は、また、本明細書の実施形態が対応するコンピュータプログラムをさらに含むことを理解するであろう。コンピュータプログラムは、ネットワークノードの少なくとも1つのプロセッサ上で実行されると、1つまたは複数のデバイスに上述のそれぞれのプロセスのいずれかを実行させる命令を含む。さらに、処理または機能は、単一のインスタンスまたはデバイスによって実行されていると見なされてもよく、あるいは、デバイスインスタンス（複数）が一緒にすべての開示された機能を実行するように、所与のワイヤレスシステム内に存在し得る複数のインスタンスにわたって分割されてもよい。
【０１０３】
実施形態は、そのようなコンピュータプログラムを含む搬送媒体をさらに含む。この搬送媒体は、電子信号、光信号、無線信号、またはコンピュータ可読記憶媒体のうちの1つを含むことができる。この点に関して、コンピュータプログラムは、上述の手段またはユニットに対応する1つまたは複数のコードモジュールを備えることができる。
【０１０４】
本明細書のネットワークノードは、無線信号を介して別のノードと通信することができる基地局、gNB、eNB、ノードB、またはアクセスポイントなど、任意の種類のネットワークノードとすることができる。
【０１０５】
UEは、マシンツーマシン（M2M）装置、マシンタイプ通信（MTC）装置、ユーザ装置（UE）を含む、1つまたは複数の他の装置との自律無線通信を実行することができる装置など（ただし、これらに限定されない）、無線信号を介して無線ネットワークノードと通信することができる任意のタイプの装置である（UEは、装置を所有し、かつ／または装置を操作する個々の人物の意味での「ユーザ」を必ずしも有しないことに留意されたい）。
【０１０６】
UEはまた、無線デバイス、無線通信デバイス、無線端末、または単に端末と呼ばれてもよく、文脈がそうでないことを示さない限り、これらの用語のいずれかの使用は、デバイスツーデバイスUEまたはデバイス、マシンタイプのデバイスまたはマシンツーマシン通信が可能なデバイス、無線デバイスを装備したセンサ、無線通信可能なテーブルコンピュータ、携帯端末、スマートフォン、装置埋め込み型ラップトップ（LEE）、機器搭載型ラップトップ（LME）、USBドングル、および無線顧客構内機器（CPE）を含むことが意図される。本明細書の説明では、UEは、マシンツーマシン（M2M）装置、マシンタイプ通信（MTC）装置、および（ワイヤレス）センサなど、人間の対話なしでデータを送信および／または受信するように構成された機器も含むことができる。
【０１０７】
本明細書では、現在の3GPP用語を使用することが好ましい。3GPPは、現在の原理から逸脱することなく用語を変更することができることに留意されたい。
【０１０８】
本明細書で説明される実施形態は、NR無線インターフェースに焦点を当てているが、同様の（機能的である）分割を示すLTEノードにも同じ原理が適用可能であり得ることに留意されたい。
【０１０９】
図8は、中間ネットワークを介してホストコンピュータに接続された通信ネットワークを概略的に示す。図8に関して、一実施形態によれば、通信システムは、無線アクセスネットワークなどのアクセスネットワークA-11と、コアネットワークA-14とを備える、3GPPタイプのセルラーネットワークなどの通信ネットワークA-10を含む。アクセスネットワークA-11は、NB、eNB、gNB、または他のタイプの無線アクセスポイントなどの複数の基地局A-12a、A-12b、A-12cを備え、それぞれが対応するカバレッジエリアA-13a、A-13b、A-13cを定義する。一態様では、基地局A-12a、A-12b、A-12c、または本明細書で説明される任意の他の基地局のうちのいずれかは、例えば、ネットワークノードなどが本願で上述される場合、ネットワークノードであると見なされ得る。それぞれの基地局A-12a、A-12b、A-12cは、有線またはワイヤレスコネクションA-15を介してコアネットワークA-14に接続可能である。カバレッジエリアA−13cに位置する第1のユーザ装置(UE) A-91は、対応する基地局A−12cと無線で接続するか、またはページングされるように構成されている。カバレッジエリアA-13a内の第2のUE A-92は、対応する基地局A-12aに無線で接続可能である。この例では、複数のUE A-91、A-92が示されているが、開示された実施形態は、単一のUEがカバレッジエリア内にある状況、または単一のUEが対応する基地局A-12に接続している状況にも等しく適用可能である。一態様では、これらのUEのうちのいずれか、または本明細書で説明される他の任意のUEは、本願で上述された任意のUE、ユーザ端末、クライアントデバイス、またはモバイルデバイスの態様を実行するように構成されると見なされ得る。
【０１１０】
通信ネットワークA−10は、それ自体、ホストコンピュータA−30に接続されており、それは、スタンドアローンサーバー、クラウド実装サーバー、分散サーバー、またはサーバー・ファームにおける処理リソースのハードウエアおよび／またはソフトウエアに具体化され得る。ホストコンピュータA-30は、サービスプロバイダの所有権または制御下にあってもよく、サービスプロバイダによって、またはサービスプロバイダの代わりに操作されてもよい。通信ネットワークA-10とホストコンピュータA-30との間のコネクションA-21、A-22は、コアネットワークA-14からホストコンピュータA-30に直接的に存在してもよく、またはオプションの中間ネットワークA-20を介して設けられてもよい。中間ネットワークA-20は、パブリック、プライベート、またはホストされたネットワークのうちの1つ、または2つ以上の組み合わせとすることができ、中間ネットワークA-20は、もしあれば、バックボーンネットワークまたはインターネットとすることができ、特に、中間ネットワークA-20は、2つ以上のサブネットワーク（図示せず）を含むことができる。
【０１１１】
図8の通信システムは、全体として、接続されたUE A-91、A-92のうちの1つとホストコンピュータA-30との間の接続を可能にする。コネクティビティ（接続性）は、オーバー・ザ・トップ（OTT）コネクションA-50として記述されてもよい。ホストコンピュータA-30および接続されたUE A-91、A-92は、アクセスネットワークA-11、コアネットワーク A-14、任意の中間ネットワークA-20、および考えられるさらなるインフラストラクチャ（図示せず）を媒介として使用して、OTTコネクションA-50を介してデータおよび／または信号を通信するように構成される。OTTコネクションA-50は、OTTコネクションA-50が通過することに参加する通信デバイスが、アップリンク通信およびダウンリンク通信のルーティングに気付かないという意味で、トランスペアレントであってもよい。例えば、基地局A-12は、接続されたUE A-91に転送される（例えば、ハンドオーバされる）ホストコンピュータA-30から発信されるデータを有するインカミングダウンリンク通信の過去のルーティングについて通知されなくてもよく、または通知される必要がなくてもよい。同様に、基地局A-12は、UE A-91からホストコンピュータA-30に向かうアウトゴーイングアップリンク通信の将来のルーティングを知っている必要はない。
【０１１２】
先の段落で論じたUE、基地局、およびホストコンピュータの、一実施形態による例示的な実装形態を、図9を参照して以下に説明する。図9は、基地局を介して、部分的なワイヤレスコネクションを介してユーザ装置と通信するホストコンピュータの一般化されたブロック図である。
【０１１３】
図9に示すように、通信システムB-00において、ホストコンピュータB-10は、通信システムB-00の他の通信装置のインターフェースと有線又はワイヤレスコネクションを設定及び維持するように構成された通信インターフェースB-16を含むハードウエアB-15を有する。ホストコンピュータB-10は、記憶および／または処理能力を有することができる処理回路B-18をさらに備える。特に、処理回路B-18は、1つ以上のプログラマブルプロセッサ、特定用途向け集積回路、フィールドプログラマブルゲートアレイ、またはインストラクションを実行するように適合されたこれらの組み合わせ（図示せず）を含むことができる。ホストコンピュータB−10はさらにソフトウエアB−11を有し、ホストコンピュータB−10により記憶又はアクセス可能であり、処理回路B−18によって実行可能である。ソフトウエアB-11は、ホストアプリケーションB-12を含む。ホストアプリケーションB-12は、UE B-30およびホストコンピュータB-10で終端するOTTコネクションB-50を介して接続するUE B-30などのリモートユーザにサービスを提供するように動作可能であってもよい。リモートユーザにサービスを提供する際に、ホストアプリケーションB-12は、OTTコネクションB-50を使用して送信されるユーザデータを提供することができる。
【０１１４】
通信システムB-00はさらに、通信システム内に設けられ、ホストコンピュータB-10およびUE B-30と通信することを可能にするハードウエアB-25を備える基地局B-20を含む。ハードウエアB-25は、通信システムB-00の別の通信装置のインターフェースとの有線またはワイヤレスコネクションを設定および維持するための通信インターフェースB-26、ならびに基地局B-20によってサービスされるカバレッジエリア（図9には示されていない）に位置するUE B-30との少なくともワイヤレスコネクションB-70を設定および維持するための無線インターフェースB-27を含むことができる。
【０１１５】
通信インターフェースB-26は、ホストコンピュータB-10へのコネクションB-60を容易にするように構成されうる。コネクションB-60は、直接的であってもよいし、通信システムのコアネットワーク（図9には示されていない）を通過してもよいし、および／または通信システム外の1つ以上の中間ネットワークを通過してもよい。図示の実施形態では、基地局B-20のハードウエアB-25は、処理回路B-28をさらに含み、処理回路B-28は、1つまたは複数のプログラマブルプロセッサ、特定用途向け集積回路、フィールドプログラマブルゲートアレイ、またはインストラクションを実行するように適合されたこれらの組合せ（図示せず）を備えることができる。基地局B-20はさらに、内部に記憶された、または外部コネクションを介してアクセス可能なソフトウエアB-21を有する。
【０１１６】
通信システムB-00は、すでに上述されたUE B-30をさらに含む。そのハードウエアB-35は、UE B-30が現在位置するカバレッジエリアにサービスを提供する基地局とのワイヤレスコネクションB-70を設定し維持するように構成された無線インターフェースB-37を含むことができる。UE B-30のハードウエアB-35は、処理回路B-38をさらに含み、処理回路B-38は、1つまたは複数のプログラマブルプロセッサ、特定用途向け集積回路、フィールドプログラマブルゲートアレイ、またはインストラクションを実行するように適合されたこれらの組合せ（図示せず）を備えることができる。UE B-30はさらにソフトウエアB−31を構成し、これらはUE B-30内に記憶されるかアクセス可能であり、処理回路B−38によって実行可能である。
【０１１７】
ソフトウエアB-31は、クライアントアプリケーションB-32を含む。クライアントアプリケーションB-32は、ホストコンピュータB-10のサポートにより、UE B-30を介して人間または非人間のユーザにサービスを提供するように動作可能であってもよい。ホストコンピュータB-10では、実行中のホストアプリケーションB-12が、UE B-30およびホストコンピュータB-10で終端するOTTコネクションB-50を介して、実行中のクライアントアプリケーションB-32と通信することができる。ユーザにサービスを提供する際に、クライアントアプリケーションB-32は、ホストアプリケーションB-12から要求データを受信し、要求データに応答してユーザデータを提供することができる。OTTコネクションB-50は、リクエストデータ及びユーザデータの両方を伝送することができる。クライアントアプリケーションB-32は、ユーザと対話して、それが提供するユーザデータを生成することができる。
【０１１８】
図9に示すホストコンピュータB-10、基地局B-20、およびUE B-30は、それぞれ、ホストコンピュータA-30、基地局A-12a、A-12b、A-12cのうちの1つ、および図8のUE A-91、A-92のうちの1つと同一であってもよいことに留意されたい。すなわち、これらのエンティティの内部動作は、図9に示されるようなものであってもよく、独立して、周囲のネットワークトポロジは、図8のものであってもよい。
【０１１９】
図9では、基地局B-20を介したホストコンピュータB-10と使用機器B-30との間の通信を示すために、いかなる中間デバイスも、これらのデバイスを介したメッセージの正確なルーティングについても明示的に言及されることなく、OTTコネクションB-50が抽象的に描かれている。ネットワークインフラストラクチャは、UE B-30から、またはホストコンピュータB-10を操作するサービスプロバイダから、またはその両方から隠すように構成され得るルーティングを決定してもよい。OTTコネクションB-50がアクティブである間、ネットワークインフラストラクチャは、さらに、（例えば、ネットワークのロードバランシングの考察または再配置に基づいて）ルーティングを動的に変更する決定を下すことができる。
【０１２０】
UE B-30と基地局B−20間のワイヤレスコネクションB−70は、本開示の全体を通じて説明される実施形態の教示に従う。様々な実施形態のうちの1つまたは複数は、ワイヤレスコネクションB-70が最後のセグメントを形成するOTTコネクションB-50を使用して、UE B-30に提供されるOTTサービスの性能を改善する。より正確には、これらの実施形態の教示は、1つまたは複数のデバイスに関連するデータ速度、遅延時間、および／または電力消費、および／または通信システムB-00の／において実行される通信、のうちの1つまたは複数を改善することができ、それによって、低減されたユーザ遅延時間、ファイルサイズの緩和された制約、より良好な応答性、および／または延長されたバッテリ寿命のうちの1つまたは複数など、OTTユーザデータ通信のための利益を提供することができる。
【０１２１】
1つまたは複数の実施形態により改善されるデータレート、遅延時間、および他のファクタを監視する目的で、測定プロシージャを提供することができる。さらに、測定結果のばらつきに応じて、ホストコンピュータB-10とUE B-30との間でOTTコネクションB-50を再設定するための任意のネットワーク機能があってもよい。OTTコネクションB-50を再設定するための測定プロシージャおよび／またはネットワーク機能は、ホストコンピュータB-10のソフトウエアB-11またはUE B-30のソフトウエアB-31、あるいはその両方において実施されてもよい。
【０１２２】
実施形態では、センサ（図示せず）は、OTTコネクションB-50が通過する通信デバイスに、またはそれに関連して設置されてもよく、センサは、上で例示された監視量の値を供給することによって、またはソフトウエアB-11、B-31が監視量を計算または推定することができるような他の物理量の値を供給することによって、測定プロシージャに関与してもよい。OTTコネクションB-50の再設定は、メッセージフォーマット、再送信の設定、好ましいルーティングなどを含むことができ、再設定は、基地局B-20に影響を及ぼす必要はなく、基地局B-20には知られていないか、または知覚されなくてもよい。
【０１２３】
このようなプロシージャおよび機能性は、当技術分野で既知で、実践されているかもしれない。ある実施形態では、測定は、スループット、伝搬時間、遅延時間などのホストコンピュータのB-10測定を容易にする独自のUEシグナリングを含むことができる。測定は、ソフトウエアB-11、B-31が、伝搬時間、エラー等を監視している間に、OTTコネクションB-50を使用して、メッセージ、特に空又は「ダミー」メッセージを送信させることによって、実施されてもよい。
【０１２４】
図10、図11、図12、および図13は、ホストコンピュータ、基地局、およびユーザ装置を含む通信システムにおいて実施される方法を示すフローチャートである。
【０１２５】
図10は、一実施形態による、通信システムにおいて実施される方法を示すフローチャートである。
【０１２６】
通信システムは、ホストコンピュータと、基地局と、端末とを含み、これらは図8及び図9に関連して説明されたものであってもよい。本開示を簡単にするために、図10に対する図面参照のみがこのセクションに含まれる。本方法の第1のステップC-10において、ホストコンピュータはユーザデータを提供する。
【０１２７】
第1のステップC-10のオプションのサブステップC-11において、ホストコンピュータは、ホストアプリケーションを実行することによってユーザデータを提供する。第2のステップC-20において、ホストコンピュータは、ユーザデータをUEに搬送する送信を開始する。
【０１２８】
オプションである第3のステップC-30で、基地局は、本開示全体にわたって説明される実施形態の教示に従って、ホストコンピュータが開始した送信で搬送されるユーザデータをUEに送信する。オプションである第4のステップC-40において、UEは、ホストコンピュータによって実行されるホストアプリケーションに関連したクライアントアプリケーションを実行する。
【０１２９】
図11は、一実施形態による、通信システムにおいて実施される方法を示すフローチャートである。
【０１３０】
通信システムは、ホストコンピュータと、基地局と、端末とを含み、これらは図8及び図9に関連して説明されたものであってもよい。本開示を簡単にするために、図11に対する図面参照のみがこのセクションに含まれる。本方法の第1のステップD-10において、ホストコンピュータはユーザデータを提供する。
【０１３１】
オプションであるサブステップ（図示せず）で、ホストコンピュータは、ホストアプリケーションを実行することによってユーザデータを提供する。第2のステップD-20において、ホストコンピュータは、ユーザデータをUEに搬送する送信を開始する。送信は、本開示全体にわたって説明される実施形態の教示に従って、基地局を介して渡され得る。オプションである第3のステップD-30において、UEは、送信により搬送されたユーザデータを受信する。
【０１３２】
図12は、一実施形態による、通信システムにおいて実施される方法を示すフローチャートである。通信システムは、ホストコンピュータと、基地局と、端末とを含み、これらは図8及び図9に関連して説明されたものであってもよい。本開示を簡単にするために、図12を参照する図面のみがこのセクションに含まれる。本方法のオプションである第1のステップE-10において、UEは、ホストコンピュータによって提供される入力データを受信する。追加的にまたは代替的に、オプションである第2のステップE-20において、UEは、ユーザデータを提供する。第2のステップE-20の、オプションであるサブステップE-21において、UEは、クライアントアプリケーションを実行することによってユーザデータを提供する。第1のステップE-10のさらなるオプションであるサブステップE-11において、UEは、ホストコンピュータによって提供され、受信された入力データに応答してユーザデータを提供するクライアントアプリケーションを実行する。ユーザデータを提供する際に、実行されるクライアントアプリケーションは、ユーザから受け取ったユーザ入力をさらに考慮することができる。ユーザデータが提供された特定の方法にかかわらず、UEは、オプションである第3のサブステップE-30において、ホストコンピュータへのユーザデータの送信を開始する。本方法の第4のステップE-40では、ホストコンピュータは、本開示全体にわたって説明される実施形態の教示に従って、UEから送信されたユーザデータを受信する。
【０１３３】
図13は、一実施形態による、通信システムにおいて実施される方法を示すフローチャートである。通信システムは、ホストコンピュータと、基地局と、端末とを含み、これらは図8及び図9に関連して説明されたものであってもよい。本開示を簡単にするために、図13を参照する図面のみがこのセクションに含まれる。本方法のオプションである第1のステップF-10で、本開示全体にわたって説明される実施形態の教示に従って、基地局は、UEからユーザデータを受信する。オプションである第2のステップF-20において、基地局は、受信したユーザデータのホストコンピュータへの送信を開始する。第3のステップF-30において、ホストコンピュータは、基地局によって開始された送信において搬送されたユーザデータを受信する。
【０１３４】
さらなる例示的な実施形態を以下に列挙する。
【０１３５】
A−1．  ユーザ装置（UE）と通信するように構成された基地局であって、当該基地局は、本開示全体にわたって説明される例示的な実施形態の態様を実行するように構成された無線インターフェースおよび処理回路を備える。
【０１３６】
A−2．  ホストコンピュータを含む通信システムであって、
【０１３７】
ユーザデータを提供するように構成された処理回路と、
【０１３８】
ユーザ装置（UE）に送信するために当該ユーザデータをセルラーネットワークに転送するように構成された通信インターフェースと、を含み、
【０１３９】
当該セルラーネットワークは、無線インターフェースおよび処理回路を有する基地局を備え、当該基地局の処理回路は、当該ユーザデータを当該UEに転送することに関連した態様を含む、本開示全体にわたって説明される例示的な実施形態の態様を実行するように構成される。
【０１４０】
A−3．  実施形態A-2に記載の通信システムであって、基地局をさらに備える。
【０１４１】
A−4．  実施形態A−3に記載の通信システムであって、前記UEをさらに備え、当該UEは、当該基地局と通信するように構成されている。
【０１４２】
A−5．  実施形態A-4に記載の通信システムであって、
【０１４３】
当該ホストコンピュータの当該処理回路は、ホストアプリケーションを実行し、それによってユーザデータを提供するように構成されており、
【０１４４】
当該UEは、当該ホストアプリケーションに関連したクライアントアプリケーションを実行するように構成された処理回路を備える。
【０１４５】
A−6．  基地局において実装される方法であって、ユーザデータをUEに送信することに関連する態様を含む、本開示全体にわたって説明される例示的な実施形態の態様を有する。
【０１４６】
A−7．  ホストコンピュータと、基地局と、ユーザ装置とを含む通信システムにおいて実装される方法であって、当該方法は、
【０１４７】
当該ホストコンピュータにおいて、ユーザデータを提供することと、
【０１４８】
当該ホストコンピュータにおいて、当該基地局を備えるセルラーネットワークを介して、当該ユーザデータをUEに搬送する送信を開始することと、を有し、当該基地局は、当該ユーザデータを当該UEに送信することに関連する態様を含む、本開示全体にわたって説明される例示的な実施形態の態様を実行するように構成されている。
【０１４９】
A−8．  実施形態A−7に記載の方法であって、さらに、
【０１５０】
当該基地局において、当該ユーザデータを送信すること、を有する。
【０１５１】
A−9．  実施形態A−8に記載の方法であって、当該ユーザデータは、ホストアプリケーションを実行することによって当該ホストコンピュータにおいて提供され、当該方法は、さらに、
【０１５２】
当該UEにおいて、当該ホストアプリケーションに関連したクライアントアプリケーションを実行すること、をさらに有する。
【０１５３】
A−10．  基地局と通信するように構成されたユーザ装置（UE）であって、当該UEは、無線インターフェースと、基地局からユーザデータを受信することに関連する態様を含む、本開示全体にわたって説明された例示的な実施形態の態様を実行するように構成された処理回路と、を有する。
【０１５４】
A−11．  ホストコンピュータを含む通信システムであって、
【０１５５】
ユーザデータを提供するように構成された処理回路と、
【０１５６】
ユーザ装置（UE）に送信するためにユーザデータをセルラーネットワークに転送するように構成された通信インターフェースと、を有し、
【０１５７】
当該UEは、無線インターフェースおよび処理回路を有し、当該UEの処理回路は、当該UEが当該基地局から当該ユーザデータを受信することに関連する態様を含む、本開示全体にわたって説明される例示的な実施形態の態様を実行するように構成されている。
【０１５８】
A−12．  実施形態A−11の通信システムであって、さらに当該UEを有する。
【０１５９】
A−13．  実施形態A−12に記載の通信システムであって、当該セルラーネットワークは、当該UEと通信するように構成された基地局をさらに有する。
【０１６０】
A−14．  実施形態A-12またはA-13の通信システムであって、
【０１６１】
当該ホストコンピュータの処理回路は、ホストアプリケーションを実行するように構成されており、それによってユーザデータを提供し、
【０１６２】
当該UEの処理回路は、当該ホストアプリケーションに関連したクライアントアプリケーションを実行するように構成されている。
【０１６３】
A−15．  ユーザ装置（UE）において実装される方法であって、当該UEが基地局からユーザデータを受信することに関連する態様を含む、本開示全体にわたって説明される例示的な実施形態の態様を有する。
【０１６４】
A−16．  ホストコンピュータと、基地局と、ユーザ装置とを含む通信システムにおいて実装される方法であって、当該方法は、
【０１６５】
ホストコンピュータにおいて、ユーザデータを提供し、ホストコンピュータにおいて、基地局を備えるセルラーネットワークを介してユーザデータを搬送する送信をUEに開始し、UEは、基地局からユーザデータを受信するUEに関連する態様を含む、本開示全体にわたって説明される例示的な実施形態の態様を実行するように構成される。
【０１６６】
A−17．  実施形態A−16に記載の方法であって、さらに、
【０１６７】
UEにおいて、当該基地局から当該ユーザデータを受信することを有する。
【０１６８】
A−18．  基地局と通信するように構成されたユーザ装置（UE）であって、当該UEは、ユーザデータを基地局に送信するUEに関連した態様を含む、本開示全体にわたって説明される例示的な実施形態の態様を実行するように構成された無線インターフェースおよび処理回路を有する。
【０１６９】
A−19．  ホストコンピュータを含む通信システムであって、
【０１７０】
ユーザ装置（UE）から基地局への送信から生じるユーザデータを受信するように構成された通信インターフェースを有し、
【０１７１】
当該UEは、無線インターフェースおよび処理回路を備え、当該UEの処理回路は、ユーザデータを当該基地局に送信する当該UEに関連した態様を含む、本開示全体にわたって説明される例示的な実施形態の態様を実行するように構成されている。
【０１７２】
A−20．  実施形態A−19の通信システムは、さらに当該UEを有する。
【０１７３】
A−21．  実施形態A−20に記載の通信システムであって、当該基地局をさらに有し、当該基地局は、当該UEと通信するように構成された無線インターフェースと、当該UEから当該基地局への送信によって搬送される当該ユーザデータを当該ホストコンピュータに転送するように構成された通信インターフェースと、を有する。
【０１７４】
A−22．  実施形態A-20またはA-21に記載の通信システムであって、
【０１７５】
当該ホストコンピュータの当該処理回路は、ホストアプリケーションを実行するように構成され、当該UEの当該処理回路は、当該ホストアプリケーションに関連したクライアントアプリケーションを実行するように構成され、それによってユーザデータを提供する。
【０１７６】
A−23．  実施形態A-20またはA-21に記載の通信システムであって、
【０１７７】
当該ホストコンピュータの当該処理回路は、ホストアプリケーションを実行し、それによって要求データを提供するように構成され、当該UEの当該処理回路は、ホストアプリケーションに関連したクライアントアプリケーションを実行し、それによって当該要求データに応答して当該ユーザデータを提供するように構成される。
【０１７８】
A−24．  ユーザ装置（UE）において実装される方法であって、当該UEがユーザデータを基地局に送信することに関連する態様を含む、本開示全体にわたって説明される例示的な実施形態の態様を有する。
【０１７９】
A−25．  実施形態A−24に記載の方法であって、さらに、
【０１８０】
ユーザデータを提供することと、
【０１８１】
当該基地局への送信を介してホストコンピュータに当該ユーザデータを転送することと、を有する。
【０１８２】
A−26．  ホストコンピュータと、基地局と、ユーザ装置（UE）とを含む通信システムにおいて実装される方法であって、当該方法は、
【０１８３】
当該ホストコンピュータにおいて、当該UEから当該基地局に送信されたユーザデータを受信すること、を有し、当該UEは、当該ユーザデータを当該基地局に送信する当該UEに関連した態様を含む、本開示全体にわたって説明される例示的な実施形態の態様を実行するように構成されている。
【０１８４】
A−27．  実施形態A−26に記載の方法であって、さらに、
【０１８５】
当該UEにおいて、当該ユーザデータを当該基地局に提供すること、を有する。
【０１８６】
A−28．  実施形態A−27の方法であって、さらに、
【０１８７】
当該UEにおいて、クライアントアプリケーションを実行し、それによって、送信されることになる当該ユーザデータを提供することと、
【０１８８】
当該ホストコンピュータにおいて、当該クライアントアプリケーションに関連付けられたホストアプリケーションを実行することと、を有する。
【０１８９】
A−29．  実施形態A−27の方法であって、さらに、
【０１９０】
当該UEにおいて、クライアントアプリケーションを実行することと、
【０１９１】
当該UEにおいて、当該クライアントアプリケーションへの入力データを受信することと、を有し、当該入力データは、当該クライアントアプリケーションに関連したホストアプリケーションを実行することによって当該ホストコンピュータで提供され、
【０１９２】
送信されることになる当該ユーザデータは、当該入力データに応答して当該クライアントアプリケーションによって提供される。
【０１９３】
A−30．  ユーザ装置（UE）と通信するように構成された基地局であって、当該基地局は、無線インターフェースと、当該UEからユーザデータを受信する当該基地局に関連した態様を含む、本開示全体にわたって説明される例示的な実施形態の態様を実行するように構成された処理回路と、を有する。
【０１９４】
A−31．  ユーザ装置（UE）から基地局への送信から生じるユーザデータを受信するように構成された通信インターフェースを有するホストコンピュータを含む通信システムであって、当該基地局は、無線インターフェースおよび処理回路を有し、当該基地局の処理回路は、当該UEからユーザデータを受信する当該基地局に関連した態様を含む、本開示全体にわたって説明される例示的な実施形態の態様を実行するように構成されている。
【０１９５】
A−32．  実施形態A−31の通信システムであって、さらに当該基地局を有する。
【０１９６】
A−33．  実施形態A−32に記載の通信システムであって、さらに、当該UEを有し、当該UEは、当該基地局と通信するように構成されている。
【０１９７】
A−34．  実施形態A−33の通信システムであって、
【０１９８】
当該ホストコンピュータの当該処理回路は、ホストアプリケーションを実行するように構成されており、
【０１９９】
当該UEは、当該ホストアプリケーションに関連付けられたクライアントアプリケーションを実行するように構成されており、それによって、当該ホストコンピュータによって受信されることになるユーザデータを提供する。
【０２００】
A−35．  基地局において実装される方法であて、ユーザ装置（UE）からユーザデータを受信する基地局に関連する態様を含む、本開示全体にわたって説明される例示的な実施形態の態様を実行することを有する。
【０２０１】
A−36．  ホストコンピュータと、基地局と、ユーザ装置（UE）とを含む通信システムにおいて実施される方法であって、当該方法は、
【０２０２】
当該ホストコンピュータにおいて、当該基地局がUEから受信した送信から生じるユーザデータを当該基地局から受信することを有し、当該基地局および当該UEの一方または両方は、当該UEからユーザデータを受信する当該基地局に関連した態様、および／またはユーザデータを当該基地局に送信する当該UEに関連した態様を含む、本開示全体にわたって説明される例示的な実施形態の態様を実行するように構成される。
【０２０３】
A−37．  実施形態A−36に記載の方法であって、さらに、
【０２０４】
当該基地局において、当該UEから当該ユーザデータを受信することを有する。
【０２０５】
A−38．  実施形態A−37に記載の方法であって、さらに、
【０２０６】
当該基地局において、当該受信されたユーザデータの当該ホストコンピュータへの送信を開始することを有する。
【０２０７】
A−39．  無線アクセスネットワークの無線ネットワークノードによって実行される方法であって、当該無線アクセスネットワークにおけるUEコンテキストコントローラの好ましい位置を決定するための1つ以上のファクタを取得することであって、当該UEコンテキストコントローラは、当該UEと当該無線アクセスネットワークとの間のコネクションを管理するものである、ことと、当該1つ以上のファクタに基づいて、セントラライズド（集中）ユニット、ディストリビューテッド（分散）ユニット、またはその両方が当該好ましい位置となりうるかどうかを決定することと、を有する。
【０２０８】
A−40．  A-39に記載の方法であって、当該集中ユニットおよび当該分散ユニットは、当該無線アクセスネットワークにおける同一の位置に配置される。
【０２０９】
A−41．  A-39に記載の方法であって、当該集中ユニットおよび当該分散ユニットは、当該無線アクセスネットワークにおいて同一の位置に配置されない。
【０２１０】
A−42．  1つまたは複数の処理回路および少なくとも1つのメモリを備えるUEまたは無線ネットワークノードであって、当該1つまたは複数の処理回路は、当該UE、無線アクセスノード、またはコアアクセスノードが上記実施形態のいずれかの当該方法を実行するように、当該少なくとも1つのメモリに記憶された少なくとも1つのインストラクションを実行するように構成されている。
【０２１１】
a−43．  プロセッサによって実行されると、上記実施形態のいずれかの態様を実行する、プロセッサ実行可能インストラクションを記憶したコンピュータ可読媒体。
【０２１２】
略語
【０２１３】
略語      説明
【０２１４】
CN        コアネットワーク
【０２１５】
CP        制御プレーン
【０２１６】
EPS      進化型パケットシステム
【０２１７】
gNB  5G RAN  論理ノード
【０２１８】
gNB−CU      gNB集中ユニット
【０２１９】
gNB−DU      gNB分散ユニット
【０２２０】
MAC      媒体アクセス制御
【０２２１】
PDCP    パケットデータコンバージェンスプロトコル
【０２２２】
PHY      物理層
【０２２３】
RAN      無線アクセスネットワーク
【０２２４】
RLC      無線リンク制御
【０２２５】
RRC      無線リソース制御
【０２２６】
UE        ユーザ装置
【０２２７】
UP        ユーザプレーン
【図１】
2020523882.tif 000003
【図２】
2020523882.tif 000004
【図３】
2020523882.tif 000005
【図４】
2020523882.tif 000006
【図５】
2020523882.tif 000007
【図６】
2020523882.tif 000008
【図７】
2020523882.tif 000009
【図８】
2020523882.tif 000010
【図９】
2020523882.tif 000011
【図１０】
2020523882.tif 000012
【図１１】
2020523882.tif 000013
【図１２】
2020523882.tif 000014
【図１３】
2020523882.tif 000015
【手続補正書】
【提出日】令和2年1月23日(2020.1.23)
【手続補正１】
【補正対象書類名】特許請求の範囲
【補正対象項目名】全文
【補正方法】変更
【補正の内容】
【特許請求の範囲】
【請求項１】
無線ネットワークノード（200）によって実行される方法であって、前記無線ネットワークノードは、集中ユニットCU （220）と、分散ユニットDU （210）とを有しており、
・  前記無線ネットワークノードにおけるUEコンテキストコントローラのための好ましい位置を決定するための1つまたは複数の基準を取得すること（502）ことであって、前記UEコンテキストコントローラはUE （100）と前記無線ネットワークノード（200）との間のコネクションを管理するものである、ことと、
・  前記1つまたは複数の基準に基づいて、前記UEコンテキストコントローラが前記CU （220）内および／または前記DU （210）内のどれに位置すべきかを決定すること（504）と、
を有する方法。
【請求項２】
請求項1に記載の方法であって、前記1つまたは複数の基準は、前記UEの通信の遅延、ユーザシグナリングに関連したシグナリングオーバーヘッド、および／または前記CU （220）および前記DU （210）のうちの1つにおける信号負荷に関係している、方法。
【請求項３】
請求項1または2に記載の方法であって、前記UEコンテキストコントローラの好ましい位置を決定することは、最小遅延時間、最小シグナリング、最小ノード間シグナリング、および／またはDUまたはCU負荷の最適化のうちの1つまたは複数の基準に基づいて、実行される、方法。
【請求項４】
請求項1ないし3のいずれか一項に記載の方法であって、前記1つまたは複数の基準は、前記UE （100）が前記DU （210）のカバレッジエリア外に移動していないことを含み、この基準が満たされる場合、前記UEコンテキストコントローラは、前記DU （210）内に存在することを選択される、方法。
【請求項５】
請求項1ないし4のいずれか一項に記載の方法であって、前記1つまたは複数の基準は、前記UEがDU間モビリティを実行すること、および／または、DU間モビリティが起こりそうになるか、または必要になることを含み、この基準が満たされる場合、前記UEコンテキストコントローラは、前記CU （220）内に存在することを選択される、方法。
【請求項６】
請求項1ないし5のいずれか一項に記載の方法であって、前記1つまたは複数の基準は、UE通信に関する最大許容遅延を含み、前記最大許容遅延が、UEコンテキスト責任を負う前記CU （220）によって満たされ得ない場合、前記UEコンテキストコントローラは、前記DU （210）内に存在することを選択される、方法。
【請求項７】
請求項1ないし6のいずれか一項に記載の方法であって、前記CU （220）及び前記DU （210）の一方が、
・  1つまたは複数の条件が満たされているかどうかを監視することと、
・  前記1つまたは複数の条件が満たされると、前記CU （220）から前記DU （210）への、またはその逆への、前記UEコンテキストの転送を開始することと、を実行する、方法。
【請求項８】
請求項1ないし7のいずれか一項に記載の方法であって、さらに、
・  前記CU （220、221）が、UEコンテキスト再配置要求を前記DU （210）に送信することと、
・  前記DU （210）が、UEコンテキスト再配置応答を前記CU （220、221）に送信することと、
・  前記DU （210）がUEコンテキスト制御責任を負うとともに、前記CU （220、221）および前記DU （210）の両方においてUEコンテキストを確立することと、
・  条件監視を確立することと、
・  前記条件監視に基づいて、前記コンテキストコントローラを前記CU （220、221）に移動することを決定することと、
・  前記CU （220、221）が、前記CU （220、221）に前記UEコンテキスト制御責任を移動するためにUEコンテキスト再配置要求を前記DU （210）に送信することと、
・  前記DU （210）が、UEコンテキスト再配置応答を前記CU （220、221）に送信することと、
・  前記CU （220、221）が、前記UEコンテキスト制御責任を負うことと、を有する、方法。
【請求項９】
請求項1ないし8のいずれか一項に記載の方法のステップを実行するように構成された無線ネットワークノード（200、600）。
【請求項１０】
無線ネットワークノード（200、600）であって、
・  前記無線ネットワークノードにおけるUEコンテキストコントローラの好ましい位置を決定するための1つまたは複数の基準を取得すること（502）であって、前記UEコンテキストコントローラが、UE （100）と前記無線ネットワークノード（200）との間のコネクションを管理するものである、ことと、
・  前記1つまたは複数の基準に基づいて、前記UEコンテキストコントローラがCU （220）内および／またはDU （210）内のどれに位置すべきかを決定すること（504）と、
を前記無線ネットワークノードに実行させるプロセッサ（620）を有する、無線ネットワークノード（200、600）。
【請求項１１】
請求項10に記載の無線ネットワークノード（200、600）であって、前記1つまたは複数の基準は、前記UEの通信の遅延時間、ユーザシグナリングに関するシグナリングオーバーヘッド、および／または前記CU （220）および前記DU （210）のうちの1つにおける信号負荷に関係している、無線ネットワークノード（200、600）。
【請求項１２】
請求項10または11に記載の無線ネットワークノード（200、600）であって、前記UEコンテキストコントローラの好ましい位置を、最小遅延時間、最小シグナリング、最小ノード間シグナリング、および／またはDUまたはCU負荷最適化、のうちの1つまたは複数の基準に基づいて決定するように構成されている、無線ネットワークノード（200、600）。
【請求項１３】
請求項10または12に記載の無線ネットワークノード（200、600）であって、前記1つまたは複数の基準は、前記UE （100）が前記DU （210）のカバレッジエリア外に移動していないことを含み、この基準が満たされる場合、前記DU （210）に存在するように前記UEコンテキストコントローラを転送する、無線ネットワークノード（200、600）。
【請求項１４】
請求項10または13に記載の無線ネットワークノード（200、600）であって、前記1つまたは複数の基準は、前記UEがDU間モビリティを実行すること、および／または、DU間モビリティが起こりそうになるかまたは必要になることを含み、この基準が満たされる場合、前記CU （220）に存在するように前記UEコンテキストコントローラを転送する、無線ネットワークノード（200、600）。
【請求項１５】
請求項10または14に記載の無線ネットワークノード（200、600）であって、前記1つまたは複数の基準は、UE通信に関する最大許容遅延を含み、前記UEコンテキストコントローラは、前記最大許容遅延が、UEコンテキスト制御責任を負う前記CU （220）によって満たされ得ない場合、前記DU （210）内に存在するように転送される、無線ネットワークノード（200、600）。
【請求項１６】
請求項10または15に記載の無線ネットワークノード（200、600）であって、前記無線ネットワークノード（200、600）は、CU （210）およびDU （210）を有し、前記CU （210）および前記DU （210）のうちの1つは、
・  1つまたは複数の条件が満たされているかどうかを監視することと、
・  前記1つまたは複数の条件が満たされると、前記CU （220）から前記DU （210）への、またはその逆への、前記UEコンテキストコントローラの転送を開始することと、
を実行する、無線ネットワークノード（200、600）。
【請求項１７】
請求項16に記載の無線ネットワークノード（200、600）であって、
前記CU （220）は、
・  UEコンテキスト再配置要求を前記DU （210）に送信することと、
・  前記DU （210）からUEコンテキスト再配置応答を受信することと、
・  前記DU （210）がコンテキスト制御責任を負うとともに、前記CU （220）および前記DU （210）の両方においてUEコンテキストを確立することを開始することと、
・  条件監視を確立することと、
・  前記条件監視に基づいて、前記UEコンテキスト制御責任を前記CU （220、221）に移動することを決定することと、
・  前記CU （220）に前記UEコンテキスト制御責任を移動するためにUEコンテキスト再配置要求を前記DU （210）に送信することと、
・  UEコンテキスト再配置応答を前記DU （210）から受信することと、
・  前記UEコンテキスト制御責任を負うことと、
を実行するように構成されている、無線ネットワークノード（200、600）。
【国際調査報告】
2020523882.tif 000016
2020523882.tif 000017